(57)【要約】【課題】電気接続用のコネクタやランプなどの電子部品を搭載した基板等で構成される部分を避けて手動操作装置を電磁弁に設置できる電磁弁の手動操作装置を提供する。【解決手段】電磁弁は、弁ボディ１０内の弁座１５，１６への接離により流路を切換える弁体２０を備えた弁部２と、上記弁体２０を駆動するソレノイド部３とを備える。この電磁弁の手動操作装置が、上記弁ボディ１０内に設けられたロッド挿入孔内１０２に気密且つ摺動自在に収容され、上記可動鉄心３３の端面に当接して該可動鉄心をその軸方向に押圧する操作ロッド５１と、上記弁ボディ１０の取付面に変位可能に取付けられた上記操作ロッド５１を駆動する操作部材５２とを備える。【選択図】　　　　図１
2004011857.tif 000002
【特許請求の範囲】
【請求項１】
弁ボディ内の弁座への接離により流路を切換える弁体を備えた弁部と、上記弁体を上記弁座に対して接離する方向に駆動するソレノイド部とを備えた電磁弁の手動操作装置であって、
上記手動操作装置が、上記ソレノイド部の可動鉄心の軸心と平行な軸心を有する上記弁ボディ内に設けられたロッド挿入孔内に気密且つ摺動自在に収容され上記可動鉄心の端面に当接して該可動鉄心をその軸方向に押圧する操作ロッドと、上記弁ボディの取付面に変位可能に取付けられた上記操作ロッドを駆動する操作部材とを備えている、
ことを特徴とする電磁弁の手動操作装置。
【請求項２】
上記弁ボディが、上記操作部材の取付面に開口する上記可動鉄心の軸方向と同じ方向に延びる操作部材装着口と、該操作部材装着口の幅方向の両側壁に設けられた係合溝とを備えており、
上記操作部材が、上記係合溝にスライド可能に係合する一対の爪部と、上記操作ロッドと連結するための連結板部とを備えた、上記可動鉄心の軸方向と同じ方向に移動可能なスライド部材である、
ことを特徴とする請求項１に記載の電磁弁の手動操作装置。
【請求項３】
上記ロッド挿入孔がその周壁の一部に上記操作部材装着口に開口する上記連結板部を挿入可能な開口部を有し、
上記操作ロッドがその外周面にシール部材が装着されるシール溝と、上記連結板部のＵ形切欠部が挿入される連結溝とを有している、
ことを特徴とする請求項２に記載の電磁弁の手動操作装置。
【請求項４】
上記操作部材が、その端壁にバネガイド部材を有するバネ座を有し、該バネ座と上記弁ボディのバネ受面との間に設けたバネにより上記可動鉄心と反対側の方向に付勢されている、
ことを特徴とする請求項２または３に記載の電磁弁の手動操作装置。
【請求項５】
上記操作部材が、上記スライド部材を構成する第１の操作部材と該第１の操作部材に回動自在に係合する第２の操作部材とで構成され、
上記第２の操作部材が、その回動により第１の操作部材を操作ロッドの押圧方向に変位させてロックするカム作用部を有する、
ことを特徴とする請求項１〜４のいずれかに記載の電磁弁の手動操作装置。
【請求項６】
上記第１の操作部材が、半円より大きい切欠円形状の開口部を有し該開口部の周壁を上記第２の操作部材が係合される係合壁としており、
上記第２の操作部材が、上記第１の操作部材の開口部に嵌合し上記係合壁に回動自在に係合する回転支持部と、上記回転支持部に一体に設けられたカム作用部と、上記回転支持部の外端面に設けられた回動操作部とを有し、
上記弁ボディが、上記第２の操作部材の回動に伴う力を受けることにより上記カム作用部に反力を与える反力壁面を有する、
ことを特徴とする請求項５に記載の電磁弁の手動操作装置。
【請求項７】
上記弁ボディが、上記操作部材装着口の両側に上記第２の操作部材の取付面より上方に突出して上記可動鉄心の軸方向と同じ方向に延びる一対のストッパー側壁を有し、
上記第２の操作部材が、その一方及び他方の回動位置で上記ストッパー側壁に突き当たってその回動を規制する突当部を有し、
上記第２の操作部材の一方及び他方の回動規制位置を上記操作ロッドのオン位置及びオフ位置にそれぞれ一致させた、
ことを特徴とする請求項５または６に記載の電磁弁の手動操作装置。
【発明の詳細な説明】
【０００１】
【発明の属する技術分野】
本発明は、停電等の事故によって弁体が弁座を閉塞した場合等に、手動操作により弁体を動作させる電磁弁の手動操作装置に関するものである。
【０００２】
【従来の技術】
停電等の事故によって弁体が弁座を閉塞した場合に手動操作により弁座を開放する電磁弁の手動操作装置は、図１１〜図１２に示すように従来公知である。
すなわち、図１１に示す電磁弁の手動操作装置は、弁ボディ２１０内の弁座２１５，２１６への接離により流路を切換える弁体２２０，２２１を備えた弁部２０２と、上記弁体２２０，２２１を上記弁座２１５，２１６に対して接離する方向に駆動するソレノイド部２０３とを備えた電磁弁において、上記弁ボディ２１０にその表面から上記ソレノイド部２０３の可動鉄心２３３の端部付近まで延びる貫通孔２５０を設け、該貫通孔２５０に先端に上記可動鉄心２３３の端部と当接するテーパー部２５１ａを有する操作部材２５１を摺動自在に設けている。
そして、停電等の事故によって弁体２２０が弁座２１５を閉塞した場合には、上記操作部材２５１を押すと、上記操作部材２５１のテーパー部２５１ａが上記可動鉄心２３３の端部を押し上げるから、弁座２１５を開放することができる。
【０００３】
また、図１２に示す電磁弁の手動操作装置は、弁ボディ２１０内の弁座２１５への接離により流路を切換える弁体２２０を備えた弁部２０２と、上記弁体２２０を上記弁座２１５に対して接離する方向に駆動するソレノイド部２０３とを備えた電磁弁において、上記弁ボディ２１０にその表面から上記ソレノイド部２０３の可動鉄心２３３の端部付近まで延びる貫通孔２５０を設け、該貫通孔２５０に先端にカム部２５１ｂを有し他端に溝２５１ｃを有する操作部材２５１を回動自在に設けている。
そして、停電等の事故によって弁体２２０が弁座２１５を閉塞した場合には、溝２５１ｃにドライバ等の回動具を挿入して上記操作部材２５１を回動させると、カム部２５１ｂが可動鉄心２３３を固定鉄心２３２方向に摺動させるので、弁座２１５を開放することができる。
【０００４】
しかし、上記従来公知の電磁弁の手動操作装置は、弁ボディ２１０の貫通孔２５０に手動操作装置２０５の操作部材２５１を直動あるいは回動自在に設け、該操作部材２５１の先端に設けたテーパー部２５１ａあるいはカム部２５１ｂにより可動鉄心２３３を移動させるものであるために、手動操作装置２０５を可動鉄心２３３の端部付近に設置する必要があり、そのために電磁弁の小型化を行うと、電気接続用のコネクタやランプなどの電子部品を搭載した基板等で構成される部分が手動操作装置２０５の設置位置に被さるという問題が起きた。
更に、上記従来公知の電磁弁の手動操作装置２０５は、操作部材２５１の先端に設けたテーパー部２５１ａあるいはカム部２５１ｂにより可動鉄心２３３を移動させるものであるために、操作部材２５１にその軸方向と直角の偏荷重が掛り、操作部材２５１の操作時にシール不良を生じやすかった。
【０００５】
【発明が解決しようとする課題】
本発明は、このような問題を解消するためになされたもので、その技術的課題は、電気接続用のコネクタやランプなどの電子部品を搭載した基板等で構成される部分を避けて手動操作装置を電磁弁に設置できる、電磁弁の手動操作装置を提供することにある。
また、本発明の他の技術的課題は、手動操作装置の操作ロッドに偏荷重が掛ることを防止でき、シール不良の発生を防止できる電磁弁の手動操作装置を提供することにある。
【０００６】
【課題を解決するための手段】
上記課題を解決するため、本発明の電磁弁の手動操作装置は、弁ボディ内の弁座への接離により流路を切換える弁体を備えた弁部と、上記弁体を上記弁座に対して接離する方向に駆動するソレノイド部とを備えた電磁弁の手動操作装置であって、上記手動操作装置が、上記ソレノイド部の可動鉄心の軸心と平行な軸心を有する上記弁ボディ内に設けられたロッド挿入孔内に気密且つ摺動自在に収容され上記可動鉄心の端面に当接して該可動鉄心をその軸方向に押圧する操作ロッドと、上記弁ボディの取付面に変位可能に取付けられた上記操作ロッドを駆動する操作部材とを備えていることを特徴とするものである。
【０００７】
上記構成を有する電磁弁の手動操作装置は、ソレノイド部の可動鉄心の端面に当接して該可動鉄心をその軸方向に押圧する操作ロッドを可動鉄心の軸心と平行な軸心を有する上記弁ボディ内に設けられたロッド挿入孔内に気密且つ摺動自在に収容し、上記操作ロッドを駆動する操作部材を弁ボディの取付面に変位可能に取付けているため、手動操作装置を可動鉄心の端部付近に設置する必要がなくなり、操作ロッドに偏荷重が掛ることもない。
したがって、電気接続用のコネクタやランプなどの電子部品を搭載した基板等で構成される部分を避けて手動操作装置を電磁弁に設置でき、偏荷重によるシール不良の発生も防止できる。
【０００８】
本発明の手動操作装置の好ましい実施形態においては、上記弁ボディが、上記操作部材の取付面に開口する上記可動鉄心の軸方向と同じ方向に延びる操作部材装着口と、該操作部材装着口の幅方向の両側壁に設けられた係合溝とを備えており、上記操作部材が、上記係合溝にスライド可能に係合する一対の爪部と、上記操作ロッドと連結するための連結板部とを備えた、上記可動鉄心の軸方向と同じ方向に移動可能なスライド部材であるのが適切であり、これにより、上記電磁弁の手動操作装置は、操作部材を弁ボディの係合溝にスライド可能に係合させることができ、該操作部材を移動させるだけで、該操作部材に連結した操作ロッドを可動鉄心の軸方向と同じ方向に移動させることができる。
【０００９】
上記電磁弁の手動操作装置は、上記ロッド挿入孔がその周壁の一部に上記操作部材装着口に開口する上記連結板部を挿入可能な開口部を有し、上記操作ロッドがその外周面にシール部材が装着されるシール溝と、上記連結板部のＵ形切欠部が挿入される連結溝とを有しているのが適切であり、これにより、簡単な構造で第１の操作部材と操作ロッドとを連結することができると共に第１の操作部材の駆動力を精度良く操作ロッドに伝達することができる。
また、上記電磁弁の手動操作装置は、上記操作部材が、その端壁にバネガイド部材を有するバネ座を有し、該バネ座と上記弁ボディのバネ受面との間に設けたバネにより上記可動鉄心と反対側の方向に付勢されているのが適切であり、これにより、操作部材は確実にオフ位置側に戻される。
【００１０】
上記本発明の電磁弁の手動操作装置は、上記操作部材が、上記スライド部材を構成する第１の操作部材と該第１の操作部材に回動自在に係合する第２の操作部材とで構成され、上記第２の操作部材が、その回動により第１の操作部材を操作ロッドの押圧方向に変位させてロックするカム作用部を有するものとして構成することができ、更に具体的には、上記第１の操作部材が、半円より大きい切欠円形状の開口部を有し該開口部の周壁を上記第２の操作部材が係合される係合壁としており、上記第２の操作部材が、上記第１の操作部材の開口部に嵌合し上記係合壁に回動自在に係合する回転支持部と、上記回転支持部に一体に設けられたカム作用部と、上記回転支持部の外端面に設けられた回動操作部とを有し、上記弁ボディが、上記第２の操作部材の回動に伴う力を受けることにより上記カム作用部に反力を与える反力壁面を有するものとすることができ、これにより手動操作装置をロック式とすることができる。
【００１１】
上記電磁弁の手動操作装置では、上記回動操作部を介して上記第２の操作部材を回動させると、上記第２の操作部材の回転支持部に一体に設けられたカム作用部もその軸心の回りに回動し、該カム作用部の平面周壁部分が弁ボディの端壁に回動に伴う力を与えるため、該カム作用部は該端壁から反力を受け、その反力により、上記カム作用部はその軸心が端壁から離れる方向の力を受けるため、上記第１の操作部材はバネの付勢力に抗して上記可動鉄心側側へ移動する。
したがって、上記第１の操作部材に連結された上記操作ロッドをオン位置状態にロックすることができる。
【００１２】
その状態から上記第２の操作部材を逆方向へ回動させると、上記カム作用部の軸心が弁ボディの端壁に近づくため、上記第１の操作部材は上記可動鉄心と反対側の方向へ移動し、上記第１の操作部材に連結された上記操作ロッドをオフ位置状態に戻すことができる。
【００１３】
また、上記電磁弁の手動操作装置は、上記弁ボディが、上記操作部材装着口の両側に上記第２の操作部材の取付面より上方に突出して上記可動鉄心の軸方向と同じ方向に延びる一対のストッパー側壁を有し、上記第２の操作部材が、その一方及び他方の回動位置で上記ストッパー側壁に突き当たってその回動を規制する突当部を有し、上記第２の操作部材の一方及び他方の回動規制位置を上記操作ロッドのオン位置及びオフ位置にそれぞれ一致させるのが適切である。
これにより、操作ロッドのオン位置及びオフ位置を意識することなく第２の操作部材を回動させても、第２の操作部材の回動規制位置が操作ロッドのオン位置及びオフ位置にそれぞれ一致するため、操作ロッドのオン位置及びオフ位置を正確に位置決めすることができ、また、第２の操作部材の突当部がストッパー側壁に当たり回動が規制されて安定位置になるため、操作ロッドのオン位置及びオフ位置も安定する。
【００１４】
【発明の実施の形態】
図１〜図４は、本発明の電磁弁の手動操作装置の第１実施例を示すものであり、該電磁弁１は、図１に示すように、弁ボディ１０内の弁座１５，１６への接離により流路を切換える弁体２０を備えた弁部２と、上記弁体２０を上記弁座１５，１６に対して接離する方向に駆動するソレノイド部３とを備え、更に上記ソレノイド部３に通電するための端子筺４が、ソレノイド部３から弁部２にかかる範囲でそれらの外側に沿って付設されている。
上記電磁弁１に用いられる手動操作装置５は、図１，図４に示すように、上記ソレノイド部３の可動鉄心３３の端面に当接して該可動鉄心３３をその軸方向に押圧する操作ロッド５１と、上記弁ボディ１０の外側の取付面１０１に摺動変位可能に取付けられた上記操作ロッド５１を駆動する操作部材５２とを備えている。上記操作ロッド５１は上記弁ボディ１０内に設けられたロッド挿入孔１０２内に気密且つ摺動自在に収容されており、該ロッド挿入孔１０２の軸心１０２ａは上記ソレノイド部３の可動鉄心３３の軸心３３ａと平行になるように設けられている。
【００１５】
更に、上記弁ボディ１０は、上記操作部材５２の取付面１０１に開口する上記可動鉄心３３の軸方向と同じ方向に延びる操作部材装着口１０５と、該操作部材装着口１０５の幅方向の両側壁１０６に設けられた係合溝１０７とを備えており、また、図１に示すように、上記弁ボディ１０のバネ受面１１１と上記操作部材５２の端壁に設けたバネガイド部材５２ｆを有するバネ座５２ｇとの間には、上記操作部材５２を上記可動鉄心３３と反対側の方向に付勢するバネ５３を設けている。
【００１６】
上記操作部材５２は、図１，図４に示すように、上記可動鉄心３３の軸方向と同じ方向に延びる板状の操作部材本体５２ａと、該操作部材本体５２ａの前方端壁から垂下しその先端に上記操作ロッドと連結するためのＵ形切欠部５２ｃを有する連結板部５２ｂと、連結板部５２ｂに設けた上記バネガイド部材５２ｆ及びバネ座５２ｇと、上記連結板部５２ｂから直角に突出し上記バネガイド部材５２ｆ及びバネ座５２ｇを覆う突出板部５２ｈと、上記操作部材本体５２ａの上面に形成した操作用の窪み部５２ｄとを有している。
また、上記操作部材５２は、上記操作部材本体５２ａの窪み部５２ｄ近傍の両側壁から垂下して上記係合溝１０７にスライド可能に係合する一対の爪部５２ｉを有する爪板５２ｅを備え、上記可動鉄心３３の軸方向と同じ方向に移動可能なスライド部材であり、図３に示すように、該爪部５２ｉは爪板５２ｅの弾性力に抗して係合溝１０７に係合させ、該係合溝１０７を形成する壁面の一部を上記操作部材本体５２ａの底面との間で挟むようにしている。したがって、操作部材５２はそれを操作部材装着口１０５に圧入するだけで弁ボディ１０に組み付けることができる。
一方、上記操作ロッド５１は、その外周面にＯリング５４が装着される環状のシール溝５１ａと、上記連結板部５２におけるＵ形の切欠部５２ｃが係合する連結溝５１ｂとを有している。
【００１７】
上記ロッド挿入孔１０２は、その周壁の一部に上記操作部材装着口１０５に開口する開口部を有し、該開口部を通って上記Ｕ形の切欠部５２ｃを有する連結板部５２がロッド挿入孔１０２内に挿入され、上記切欠部５２ｃに上記連結溝５１ｂが入り込み、上記操作部材５２が上記操作ロッド５１に連結される。
上記弁ボディ１０は、上記操作部材装着口１０５の幅方向の両側に、上記取付面１０１より上方に突出して上記装着口１０５の長手方向に延びる一対の側壁１０８を設けている。
また、上記弁ボディ１０は、図３に示すように、弁ボディ１０の中心軸に対し対称に一対の貫通孔１０９を有し、該貫通孔１０９には該弁ボディ１０を他の機器に取り付けるための取付用ボルト１２１（図２参照）が通される。
【００１８】
図１に示すように、上記弁部２は３ポート弁を構成するもので、該弁部２の弁ボディ１０は、入力ポートＰ、出力ポートＡ及び排出ポートＲが連通する弁室１１を内部に備えている。
この弁室１１には、流路１４を介して入力ポートＰに連通する供給弁座１５を備えた弁座体１２、及び上記排出ポートＲに連通し該供給弁座１５に対向するように開口させた排出弁座１６を設け、該供給弁座１５と排出弁座１６との間にはそれらに選択的に接離するポペット弁体２０を収容している。
【００１９】
上記ポペット弁体２０は、ソレノイド部３への通電またはその解除によりそれらの弁座１５，１６を開閉するもので、該ソレノイド部３により該ポペット弁体２０を開閉動作させるため、該ポペット弁体２０には、その外周部に被着されるカバー２０ａと一体化された一対のプッシュロッド２０ｂを設け、これらのプッシュロッド２０ｂを、排出弁座１６を跨ぐ位置において弁ボディ１０に設けた孔からソレノイド部３側に導出し、その先端をソレノイド部３の可動鉄心３３に当接させている。
また、上記弁座体１２における供給弁座１５の周囲とポペット弁体２０との間には、該ポペット弁体２０を排出弁座１６側に押圧するポペットスプリング２５を介装している。
【００２０】
上記ソレノイド部３は、図１に示すように、コイル３１を巻回したボビン３０内に可動鉄心３３を摺動自在に嵌入し、コイル３１の周囲を囲んでソレノイド部３の外郭を構成する磁性カバー３４及び該磁性カバー３４と可動鉄心３３との間に位置する磁気プレート３５により、コイル３１の周囲に磁路を形成したものである。
【００２１】
上記磁性カバー３４は、磁性材（鉄板）の深絞りによりソレノイド部３の外郭を構成してソレノイド部３の全体を被包する形状に形成したもので、ここでは側面に端子筺４の取付け孔３６を設けているが、これをなくして端子筺を接着その他の磁性カバー３４における液密性を阻害しない手段で固定することにより、ソレノイド部３の防水性・防滴性を確保することができる。
更に、上記可動鉄心３３の外端側には合成樹脂からなるリング３７を嵌着し、このリング３７と磁気プレート３５との間に可動鉄心の復帰スプリング３８を縮設している。
【００２２】
上記端子筺４は、その基部を構成する合成樹脂製の端子台７０の脚７０ａを上記取付け孔３６に係合させることにより固定し、この端子台７０上に基板組立体７１を載置し、その上にコネクタカバー６０を被着している。上記基板組立体７１は電気接続用のコネクタ７２や、表示ランプその他の電子部品を搭載したものである。
なお、上記端子筺４は、必ずしもソレノイド部３のみに取付ける必要はなく、ソレノイド部３と弁ボディ１０の両者に取付けることもできる。
【００２３】
上記電磁弁の手動操作装置は、停電等の事故によって弁体２０が弁座１５を閉塞した場合には、操作部材５２を移動させることにより、操作部材５２に連結された操作ロッド５１及び該操作ロッド５１にその端面が当接する可動鉄心３３を介して弁体２０を弁座１５から移動させることができる。
そして、可動鉄心３３の端面に当接して該可動鉄心３３をその軸方向に押圧する操作ロッド５１を、可動鉄心３３の軸心と平行なロッド挿入孔１０２内に気密且つ摺動自在に収容し、上記操作ロッド５１を駆動する操作部材５２を弁ボディ１０の取付面１０１に変位可能に取付けているため、手動操作装置５を可動鉄心３３の端部付近に設置する必要がなくなり、操作ロッド５１に偏荷重が掛ることもない。
したがって、電気接続用のコネクタやランプなどの電子部品を搭載した基板等で構成される部分を避けて手動操作装置５を電磁弁１に設置でき、偏荷重によるシール不良の発生も防止できる。
【００２４】
上記電磁弁の手動操作装置は、操作部材５２を可動鉄心３３の軸方向に移動させるだけで、該操作部材５２に連結した操作ロッド５１を同方向に移動させることができる。しかも、ロッド挿入孔１０２がその周壁の一部に上記操作部材装着口１０５に開口する開口部を有し、上記連結板部５２ｂのＵ形の切欠部５２ｃをこの開口部を通して操作ロッド５１の外周面の連結溝５１ｃに係合させるようにしているため、簡単な構造で操作部材５２と操作ロッド５１とを連結することができると共に、操作部材５２の駆動力を精度良く操作ロッド５１に伝達することができる。
【００２５】
また、上記電磁弁の手動操作装置は、上記操作部材５２が、その端壁にバネガイド部材５２ｆを有するバネ座５２ｇを有し、該バネ座５２ｇと上記弁ボディのバネ受面１１１との間に設けたバネ５３により上記可動鉄心３３と反対側の方向に付勢されているため、操作部材５２及びこれに連結された操作ロッド５１は確実にオフ位置側に戻される。
【００２６】
図５〜図１０は、本発明の電磁弁の手動操作装置をロック式とした第２の実施例を示すものであり、この電磁弁の手動操作装置は、図１〜図４に示す第１の実施例と基本的に同じ構造をしているが、操作部材の構造が異なる点で相違している。
したがって、該第２の実施例において第１の実施例と同じ構造をしている箇所は、第１の実施例のものと同じ符号を付与して、その説明を省略する。
【００２７】
上記電磁弁１の手動操作装置５は、図５〜図７に示すように、操作部材５２が、第１の操作部材１５２と回動により該第１の操作部材１５２に対して操作力を加える第２の操作部材１５３とで構成されている。
上記第１の操作部材１５２は、図７及び図８に示すように、上記可動鉄心３３の軸方向と同じ方向に延びる板状の操作部材本体１５２ａと、該操作部材本体１５２ａの前方端壁から垂下しその先端に上記操作ロッドと連結するためのＵ形の切欠部１５２ｃを有する連結板部１５２ｂと、連結板部１５２ｂに設けたバネガイド部材１５２ｆ及びバネ座１５２ｇと、上記連結板部１５２ｂから直角に突出し上記バネガイド部材１５２ｆ及びバネ座１５２ｇの上方を覆う突出板部１５２ｈとを有している。
【００２８】
また、上記第１の操作部材１５２は、上記弁ボディ１０の操作部材装着口１０５の幅方向の両側壁１０６に設けられた係合溝１０７にスライド可能に係合する一対の爪部１５２ｉを有する爪板１５２ｅを備え、第１の操作部材１５２のこれらの構成は第１実施例における上記操作部材５２の構成と同様である。
しかし、上記第１の操作部材１５２は、上記操作部材本体１５２ａの後端部側に半円より大きい切欠円形状の開口部１５４を設け、該開口部１５４の周壁を上記第２の操作部材１５３と係合する係合壁としている点で第１実施例の操作部材５２と相違している。
【００２９】
上記開口部１５４の形状は、図７及び図８に示すように、半円より大きい切欠円の形状をしており、該開口部１５４の周壁は、図８の（ホ）に示すように、第１の周壁部１５４ｂとこれよりわずかに径が小さい第２の周壁部１５４ｃとで構成されている。また、上記第１の操作部材１５２は、上記板状の操作部材本体１５２ａの上方に間隔をあけてガイド板１５２ｊを一体に形成しており、該ガイド板１５２ｊはその先端に円弧状部１５５を有している。
上記操作部材本体１５２ａとガイド板１５２ｊとの間隔は、上記第２の操作部材１５３を回動させる際に後述する突当板１５７が通る通路１５６となる。
【００３０】
上記第２の操作部材１５３は、図７及び図９に示すように、半円筒より大きい切欠円筒状部の複数を重ねた回転支持部１５３ａと、該回転支持部１５３ａに一体に設けられ、半円筒より大きい切欠円筒形状で、その軸心１５３ｃが回転支持部１５３ａの軸心と同じであるがそれより小径のカム作用部１５３ｂを有している。
上記回転支持部１５３ａは、上記第１の操作部材１５２の開口部１５４に嵌合し、その係合壁１５４ｂ，１５４ｃに回動自在に係合する円弧状の係合溝１５３ｄをその曲面周壁部分に形成し、反対側を平面周壁部分１５３ｆとしており、その上面には、第２の操作部材１５３の回動操作部を構成するところの、上記軸心１５３ｃを通る回動用の溝１５３ｅを設けている。
また、上記カム作用部１５３ｂは、曲面周壁部分１５３ｈと、上記回転支持部の平面周壁部分１５３ｆと平行な平面周壁部分１５３ｇとを有し、非操作時にはその平面周壁部分１５３ｇが上記操作部材装着口１０５の端壁１１５に上記バネ５３の付勢力で押付けられている。該端壁１１５は、第２の操作部材１５３の回動に伴って上記カム作用部１５３ｂの曲面周壁部分１５３ｈが圧接する壁面であり、上記カム作用部１５３ｂに反作用としての反力を与える反力壁面となる。
【００３１】
上記回転支持部１５３ａの係合溝１５３ｄより上の曲面周壁部分には略三角形状の突当板１５７が固着されている。上記突当板１５７は、その周端壁が直交する２つの平側面１５７ａ，１５７ｂを有しており、上記第２の操作部材１５３を回動させた際に、上記直交する２つの平側面１５７ａ，１５７ｂのどちらか一方が上記弁ボディ１０に設けた上記側壁１０８のストッパー面１０８ａに突き当たり、その回動を規制すると共にその回動規制位置を安定位置にするものである。また、上記第２実施例においては、図１０の（イ）、（ロ）に示すように、上記第２の操作部材１５３の左方向及び右方向の回動規制位置がそれぞれ上記操作ロッドのオフ位置及びオン位置になるようにしている。
【００３２】
上記第２実施例の操作部材５２を構成する上記第１の操作部材１５２及び第２の操作部材１５３は、図７に示すように上記弁ボディ１０の操作部材装着口１０５に装着され、上記バネ５３が上記第１の操作部材１５２を介して上記第２の操作部材１５３を可動鉄心３３と反対側の方向に押しつけるため、図１０の（イ）に示す操作ロッド５１のオフ位置状態では、図５に示すように、上記カム作用部１５３ｂの平面周壁部分１５３ｇは、上記操作部材装着口１０５の端壁１１５に押しつけられている。
【００３３】
この状態で上記回動用の溝１５３ｅを介して上記第２の操作部材１５３を右方向（時計方向）へ回動させると、上記回転支持部１５３ａに同軸で一体に設けられたカム作用部１５３ｂもその軸心１５３ｃの回りに回動し、上記カム作用部１５３ｂの平面周壁部分１５３ｇの右端部分が弁ボディ１０の端壁１１５に回動に伴う力を与えるため、上記カム作用部１５３ｂはその反作用による反力を該端壁１１５から受ける。
【００３４】
したがって、上記第２の操作部材１５３の回動に伴い、上記反力によりカム作用部１５３ｂはその軸心１５３ｃが端壁１１５から離れる方向に移動し、すなわち、上記第１の操作部材１５２が上記バネ５３の付勢力に抗して上記可動鉄心３３側へ移動し、上記第１の操作部材１５２に連結された上記操作ロッド５１をオン位置方向へ移動させる。
そして、上記第２の操作部材１５３を図１０の（イ）に示すオフ位置状態から右方向へ９０°回動すると、図１０の（ロ）に示すように、突当板１５７の平側面１５７ｂが一方の側壁１０８のストッパー面１０８ａに突き当たり、その回動規制位置が上記操作ロッド５１のオン位置となる。
【００３５】
そのオン位置状態から上記第２の操作部材１５３を左方向（反時計方向）へ回動させると、上記カム作用部１５３ｂの軸心１５３ｃが弁ボディ１０の端壁１１５に近づくため、上記第１の操作部材１５２は上記可動鉄心３３と反対側の方向へ移動する。
そして、上記第２の操作部材１５３を図１０の（ロ）に示すオン位置状態から左方向へ９０°回動すると、図１０の（イ）に示すように、突当板１５７の平側面１５７ａが他方の側壁１０８のストッパー面１０８ａに突き当たり、上記第１の操作部材１５２に連結された上記操作ロッド５１がオフ位置状態に戻る。
【００３６】
上記電磁弁の手動操作装置は、上記第２の操作部材１５３がその一方及び他方の回動位置でストッパーとなる側壁１０８に突き当たりその回動を規制する突当部１５７を有し、該回動規制位置を操作ロッド５１のオン位置及びオフ位置にそれぞれ一致させているため、第２の操作部材１５３を単に回動させるだけで、操作ロッド５１のオン位置及びオフ位置を正確に位置決めすることができ、上記第２の操作部材１５３の突当部１５７の平側面１５７ａ，１５７ｂが側壁１０８のストッパー面１０８ａに平面同士で当接し回動が規制されるため、第２の操作部材の回動位置が安定すると共に操作ロッド５１のオン位置及びオフ位置も安定する。
【００３７】
本発明の電磁弁のロック式手動操作装置は、必ずしも上記実施例に限定されるものではなく、例えば、上記第２の操作部材１５３の回動により、該第２の操作部材１５３の移動を伴うことなく第１の操作部材１５２を押圧駆動できる構造、すなわち、第２の操作部材１５３が、その回動により第１の操作部材を操作ロッドの押圧方向に変位させてロックする適宜形態のカム作用部を有するものとすることができる。
また、上記第２の操作部材１５３の回動操作部を構成するところの該操作部材１５３上のドライバー用溝１５３ｅは、それに限るものではなく、電磁弁を小型することにより操作が困難になる場合には、操作しやすい適宜形状にすることができる。
【００３８】
【発明の効果】
以上に詳述したように、本発明によれば、電気接続用のコネクタやランプなどの電子部品を搭載した基板等で構成される部分を避けて手動操作装置を電磁弁に設置でき、手動操作装置の操作ロッドに偏荷重が掛ることを防止でき、シール不良の発生を防止できる電磁弁の手動操作装置を提供することができる。
【図面の簡単な説明】
【図１】本発明の電磁弁の手動操作装置の一実施例を示す縦断側面図である。ただし、左半部はコイルへの非通電時を、右半部は通電時をそれぞれ示す。
【図２】同、正面図である。
【図３】図２のＡ−Ａ矢視位置での断面図である。
【図４】同、弁ボディ及び手動操作装置の分解斜視図である。
【図５】本発明の手動操作装置の他の実施例を示す縦断側面図である。ただし、左半部はコイルへの非通電時を、右半部は通電時をそれぞれ示す。
【図６】同、正面図である。
【図７】同、弁ボディ及び手動操作装置の分解斜視図である。
【図８】（イ）は第１の操作部材の側面図、（ロ）は同正面図、（ハ）は同底面図、（ニ）は同背面図、（ホ）は同縦断側面図である。
【図９】（イ）は第２の操作部材の側面図、（ロ）は同正面図、（ハ）は同背面図、（ニ）は同底面図である。
【図１０】（イ）は第２の操作部材が一方の回動規制位置（操作ロッドがオフ位置）にある状態を示す正面図、（ロ）は第２の操作部材が他方の回動規制位置（操作ロッドがオン位置）にある状態を示す正面図である。
【図１１】従来の電磁弁の手動操作装置を示す縦断側面図である。
【図１２】他の従来の電磁弁の手動操作装置を示す断面図である。
【符号の説明】
２　弁部
３　ソレノイド部
１０　弁ボディ
１５，１６　弁座
２０　弁体
３３　可動鉄心
５１　操作ロッド
５２　操作部材
１０２　ロッド挿入孔
【図１】
2004011857.tif 000003
【図２】
2004011857.tif 000004
【図３】
2004011857.tif 000005
【図４】
2004011857.tif 000006
【図５】
2004011857.tif 000007
【図６】
2004011857.tif 000008
【図７】
2004011857.tif 000009
【図８】
2004011857.tif 000010
【図９】
2004011857.tif 000011
【図１０】
2004011857.tif 000012
【図１１】
2004011857.tif 000013
【図１２】
2004011857.tif 000014